(57)【要約】【課題】色順次駆動方式において、画面の明るさを十分に確保した上で、波長によって光学応答特性が変化する場合を考慮する。【解決手段】表示パネルの画素は、書き込まれた電圧に応じた透過率となる。この表示パネルに対して、ＬＥＤが、Ｒ（赤）、Ｇ（緑）、Ｂ（青）の光を順番に照射する。フレーム期間を、Ｒ・Ｇ・Ｂサブフレーム期間に分割し、各サブフレーム期間において前記複数の画素１１０に対する走査期間によって原色成分を書き込む。前記走査期間の後、次のサブフレームにおける走査期間の前に、書き込んだ原色成分のＬＥＤを発光期間で発光させるが、走査期間が終了してから発光期間を開始させるまでの待機期間を、光学応答の遅い順番にＲ＞Ｇ＞Ｂに設定する。【選択図】図５
2010107579.tif 000002
【特許請求の範囲】
【請求項１】
それぞれが書き込みに応じた透過率または反射率となる複数の画素と、
前記複数の画素に対して、互いに異なる少なくとも３つの原色の光を順次照射する照射手段と、
を備え、
単位期間を前記原色に対応させたサブフレーム期間に分割し、
各サブフレーム期間において前記複数の画素に対する第１走査によって原色成分を書き込み、
前記第１走査の後、次のサブフレーム期間における第１走査の前に、前記照射手段が当該原色の光を前記複数の画素に照射するとともに、
前記少なくとも３色のうち、一色の原色成分の第１走査が終了してから前記照射手段が当該一の原色の光の照射を開始するまでの待機期間を、他の色についての待機期間と異ならせた
ことを特徴とする電気光学装置の駆動方法。
【請求項２】
前記原色毎の待機期間を、
前記原色の波長が短くなるに順に長くした、または、短くした
ことを特徴とする請求項１に記載の電気光学装置の駆動方法。
【請求項３】
前記第１走査によって、前記複数の画素に対し、前記複数の画素で規定される解像度よりも低い解像度の画像を形成するための書き込みを行い、
前記第１走査に続いて、前記複数の画素に対し、前記低い解像度よりも高い解像度の画像を形成するための書き込む第２走査を、
前記原色毎に実行する、または、実行しないことを規定した
ことを特徴とする請求項１または２に記載の電気光学装置の駆動方法。
【請求項４】
前記第２走査を実行しない原色は、
前記原色のうち、書き込みに対する光学応答が最も速い色である
ことを特徴とする請求項３に記載の電気光学装置の駆動方法。
【請求項５】
前記単位期間毎に前記第２走査を実行しない原色を変更する
ことを特徴とする請求項３に記載の電気光学装置の駆動方法。
【請求項６】
前記少なくとも３色のうち、一色の原色成分の第１走査によって形成される画像の解像度を、他の色成分の第１走査によって形成される画像の解像度と異ならせた
ことを特徴とする請求項１に記載の電気光学装置の駆動方法。
【請求項７】
前記第１走査によって形成される画像の解像度が最も高い原色は、
前記少なくとも３つの原色のうち、波長が最短である原色および最長である原色を除いた色である
ことを特徴とする請求項６に記載の電気光学装置の駆動方法。
【請求項８】
前記第１走査によって形成される画像の解像度が最も低い原色は、
前記原色のうち、書き込みに対する光学応答が最も速い色である
ことを特徴とする請求項６に記載の電気光学装置の駆動方法。
【請求項９】
前記照射手段は、互いに異なる少なくとも前記３つの原色の光に加えて、白色の光を照射可能であり、
前記単位期間を前記原色および前記白色に対応させたサブフレーム期間に分割し、
前記白色の第１走査の後、次のサブフレーム期間における第１走査の前に、前記照射手段が当該白色の光を前記複数の画素に照射し、
前記白色の成分の第１走査によって形成される画像の解像度を、前記原色成分の第１走査によって形成される画像の解像度よりも高くした
ことを特徴とする請求項１に記載の電気光学装置の駆動方法。
【請求項１０】
前記複数の画素で表示すべき画像を解析し、その解析結果に応じて請求項２、４、７または９に記載の電気光学装置の駆動方法のいずれか１つを選択する
ことを特徴とする電気光学装置の駆動方法。
【請求項１１】
請求項２、４、７または９に記載の電気光学装置の駆動方法のうち、選択手段によって選択されたものを適用する
ことを特徴とする電気光学装置の駆動方法。
【請求項１２】
それぞれが書き込みに応じた透過率または反射率となる複数の画素と、
前記複数の画素に対して、互いに異なる少なくとも３つの原色の光を順次照射する照射手段と、
単位期間を前記原色に対応させたサブフレーム期間に分割し、
各サブフレーム期間において前記複数の画素に対する第１走査によって原色成分を書き込む駆動回路と、
前記照射手段に対し、
前記第１走査の後、次のサブフレーム期間における第１走査の前に、当該原色の光を前記複数の画素に照射させるとともに、
前記少なくとも３色のうち、一色の原色成分の第１走査が終了してから前記照射手段が当該一の原色の光の照射を開始するまでの待機期間を、他の色についての待機期間と異なるように制御する制御回路と、
を具備することを特徴とする電気光学装置。
【発明の詳細な説明】
【技術分野】
【０００１】
本発明は、いわゆる色順次方式の電気光学装置の駆動技術に関する。
【背景技術】
【０００２】
一般に、色順次方式では、１つのカラー画像を形成するフレーム期間を、例えば赤（Ｒ）、緑（Ｇ）、青（Ｂ）の３つの原色に対応するサブフレーム期間に分割するとともに、各サブフレーム期間において、当該サブフレーム期間の原色成分の階調（明るさ）に応じた情報（例えば電圧）を表示パネルの画素に書き込んだ後に、当該原色の光を表示パネルに照射する構成となっている。これにより、Ｒ、Ｇ、Ｂの各原色画像が順次表示されるので、人間には、これらの原色画像が重なってフルカラー画像として視覚される（特許文献１参照）。このような色順次方式では、表示素子にカラーフィルタを設けなくて済むほか、１画素をＲ・Ｇ・Ｂのサブ画素に分割しなくて済むので、高精細化が容易となる。
【０００３】
このような色順次方式において、各サブフレームにおいて原色成分の明るさに応じた情報（例えば電圧）を全画素に書き込んだ後に、当該原色の光を複数の画素に照射開始する構成では、画面の明るさを十分にとれなくなる可能性があるので、全画素に対する書き込みが終了する前に、光の照射を開始する方式が考えだされた（特許文献２参照）。
【特許文献１】特開平１１−２３７６０６号公報
【特許文献２】特開２００３−１０７４２５号公報
【発明の開示】
【発明が解決しようとする課題】
【０００４】
この方式では、画面の明るさを確保する点では有効ではある。しかしながら、表示素子によっては、波長によって光学応答特性が変化する場合がある。このような場合では、画素は、書き込まれた情報に応じた光学特性となる前に照射光を透過または反射してしまうので、書き込まれた情報を十分に反映しない状態で視認されてしまう。
本発明は上述した事情に鑑みてなされたもので、その目的の一つは、色順次方式において、画面の明るさを十分に確保した上で、波長によって光学応答特性が変化する場合を考慮した技術を提供することにある。
【課題を解決するための手段】
【０００５】
上記課題を解決するために、本発明に係る電気光学装置の駆動方法にあっては、それぞれが書き込みに応じた透過率または反射率となる複数の画素と、前記複数の画素に対して、互いに異なる少なくとも３つの原色の光を順次照射する照射手段と、を備え、単位期間を前記原色に対応させたサブフレーム期間に分割し、各サブフレーム期間において前記複数の画素に対する第１走査によって原色成分を書き込み、前記第１走査の後、次のサブフレーム期間における第１走査の前に、前記照射手段が当該原色の光を前記複数の画素に照射するとともに、前記少なくとも３色のうち、一色の原色成分の第１走査が終了してから前記照射手段が当該一の原色の光の照射を開始するまでの待機期間を、他の色についての待機期間と異ならせたことを特徴とする。本願発明によれば、一色の待機期間が他の色と異なるように制御されるので、波長によって異なる光学応答が考慮される。
【０００６】
本発明において、前記原色毎の待機期間を、前記原色の波長が短くなるに順に長くした、または、短くしても良い。光学応答特性は、波長が短くなるにつれて、悪くなる場合と、良くなる場合とがあるためである。
また、本発明において、前記第１走査によって、前記複数の画素に対し、前記複数の画素で規定される解像度よりも低い解像度の画像を形成するための書き込みを行い、前記第１走査に続いて、前記複数の画素に対し、前記低い解像度よりも高い解像度の画像を形成するための書き込む第２走査を、前記原色毎に実行する、または、実行しないことを規定しても良い。ここで、前記第２走査を実行しない原色は、前記原色のうち、書き込みに対する光学応答が最も速い色であることが好ましい。ただし、第２走査を実行しない原色が固定的であると、目立つ場合があるので、前記単位期間毎に前記第２走査を実行しない原色を変更しても良い。
本発明において、前記少なくとも３色のうち、一色の原色成分の第１走査によって形成される画像の解像度を、他の色成分の第１走査によって形成される画像の解像度と異ならせても良い。ここで、前記第１走査によって形成される画像の解像度が最も高い原色は、前記少なくとも３つ異なる原色のうち、波長が最短である原色および最長である原色を除いた色であることが好ましい。また、前記第１走査によって形成される画像の解像度が最も低い原色は、前記原色のうち、書き込みに対する光学応答が最も速い色であることも好ましい。
本発明において、前記照射手段は、互いに異なる少なくとも前記３つの原色の光に加えて、白色の光を照射可能であり、前記単位期間を前記原色および前記白色に対応させたサブフレーム期間に分割し、前記白色の第１走査の後、次のサブフレーム期間における第１走査の前に、前記照射手段が当該白色の光を前記複数の画素に照射し、前記白色の成分の第１走査によって形成される画像の解像度を、前記原色成分の第１走査によって形成される画像の解像度よりも高くしても良い。
【０００７】
また、本発明において、前記複数の画素で表示すべき画像を解析し、その解析結果に応じて電気光学装置の駆動方法のいずれか１つを選択しても良いし、選択手段によって選択されたものを適用しても良い。また、本発明は、駆動方法のみならず、電気光学装置としても概念することが可能である。
【発明を実施するための最良の形態】
【０００８】
以下、本発明を実施するための形態について説明する。
【０００９】
＜第１実施形態＞
まず、本発明の第１実施形態に係る電気光学装置の駆動方法について説明する。図１は、この駆動方法を適用した電気光学装置の一例たるプロジェクタの光学的な構成を示す図である。
この図において、ＬＥＤ１１Ｒは、ダイクロイックプリズム１３の中心からみて１２時の方向に位置し、図において下方に向けてＲ（赤）の光を放つ発光ダイオードである。ＬＥＤ１１Ｒにより放たれたＲの光は、コリメータレンズ１２Ｒによって、ほぼ平行な光束となる。同様に、ＬＥＤ１１Ｇ、１１Ｂは、それぞれ９時、６時の方向に位置し、図において右方、上方に向けてＧ（緑）、Ｂ（青）の光を放つ発光ダイオードである。ＬＥＤ１１Ｇ、１１Ｂにより放たれたＧ、Ｂの光についても、それぞれコリメータレンズ１２Ｇ、１２Ｂによって、ほぼ平行な光束となる。
なお、ＬＥＤ１１Ｒ、１１Ｇ、１１Ｂは、後述する制御回路によって順番に発光制御されるので、これら３つのＬＥＤが照射手段となる。
【００１０】
ダイクロイックプリズム１３は、互いに直交するダイクロイック面１３Ｒ、１３Ｂを有する。このうち、ダイクロイック面１３Ｒは、１２時の方向から入射したＲ光を反射して３時の方向に出射し、他の色の光を透過する。ダイクロイック面１３Ｂは、６時の方向から入射したＢ光を反射して３時の方向に出射し、他の色の光を透過する。一方、９時の方向から入射したＧ光は、ダイクロイック面１３Ｒ、１３Ｂを透過し、そのまま３時の方向に出射する。
【００１１】
ダイクロイックプリズム１３の出射面には、表示パネル１００が配置する。この表示パネル１００は、本実施形態では、例えばアクティブマトリクス型の透過型の液晶表示パネルであり、複数の画素を有する。投射レンズ群１４は、表示パネル１００によって透過率が画素毎に制御された透過像をスクリーン２００に拡大投射する光学系である。
後述するように、１フレーム期間をＲ・Ｇ・Ｂのサブフレーム期間に分割するとともに、各サブフレーム期間において、各画素に原色成分の明るさとなるような電圧を書き込み、この後に、当該原色のＬＥＤを発光させる動作を、Ｒ・Ｇ・Ｂで繰り返す。このため、Ｒ・Ｇ・Ｂの各原色画像が順次表示されて、これらの原色画像が重なってフルカラー画像として視覚されることになる。
【００１２】
次に、プロジェクタ１０の電気的な構成について図２を参照して説明する。
この図に示されるように、プロジェクタ１０は、制御回路２０、画像処理回路３０、データ信号変換回路４０および表示パネル１００により構成される。このうち、制御回路２０は、上位装置（図示省略）から供給される同期信号Ｓyncに基づいて各部を制御する。
画像処理回路３０は、上位装置から供給されるデジタルの映像信号Ｖidを、一旦内部メモリに記憶した後、制御回路２０による制御にしたがって各色成分を読み出し、映像信号Ｖdとして出力する。ここで、上記上位装置から供給される映像信号Ｖidは、表示パネル１００の各画素についてＲ・Ｇ・Ｂの各色成分の明るさ（階調）をそれぞれ指定するデジタルデータであり、同期信号Ｓyncに含まれる垂直走査信号、水平走査信号およびドットクロック信号（図示省略）にしたがった走査の順で画素毎に供給される。
【００１３】
データ信号変換回路４０は、画像処理回路３０から供給される映像信号Ｖdを、表示パネル１００の駆動に適したアナログのデータ信号Ｖsに変換し、Ｙドライバ１３０およびＸドライバ１４０による駆動タイミングに合わせて表示パネル１００に供給する。
【００１４】
表示パネル１００の表示領域１００ａでは、例えば７６８行の走査線１１２が図において横方向に延在し、また、１０２４列のデータ線１１４が図において縦方向に延在し、かつ、各走査線１１２と互いに電気的に絶縁を保つように設けられるとともに、これらの走査線１１２とデータ線１１４との交差のそれぞれに対応して、画素１１０がそれぞれ配設されている。したがって、本実施形態において、画素１１０は、表示領域１００ａにおいて縦７６８行×横１０２４列のマトリクス状に配列することになる。
なお、便宜的に走査線１１２を区別するために、以下の説明では図において上から順に１、２、３、…、７６８行目という呼び方をする場合がある。同様に、データ線１１４を区別するために、図において左から順に１、２、３、…、１０２４列目という呼び方をする場合がある。
【００１５】
Ｙドライバ１３０は、制御回路２０による制御にしたがって各走査線にそれぞれ走査信号を供給する走査線駆動回路であり、選択した走査線に対し選択電圧を、それ以外の走査線に対し非選択電圧を、それぞれ印加する。なお、１、２、３、…、７６８行目の走査線１１２に供給される走査信号を、図２において、それぞれＧ1、Ｇ2、Ｇ3、…、Ｇ768と表記している。
Ｘドライバ１４０は、選択された行に対応する画素１１０の各々に対し、データ信号変換回路４０によって変換されたデータ信号Ｖsを、それぞれデータ線１１４にサンプリングするデータ線駆動回路である。なお、１、２、３、…、１０２４列目のデータ線１１４にサンプリングされるデータ信号を、図２において、それぞれｄ1、ｄ2、ｄ3、…、ｄ1024と表記している。
【００１６】
画素１１０について図３を参照して説明する。
この図に示されるように、画素１１０においては、ｎチャネル型のＴＦＴ１１６のソース電極がデータ線１１４に接続されるとともに、ドレイン電極が画素電極１１８に接続される一方、ゲート電極が走査線１１２に接続されている。
画素電極１１８は、画素毎に設けられるのに対して、対向電極１０８は、画素電極１１８のすべてに対向するように全画素に対して共通に設けられるとともに、一定の電圧ＬＣcomが印加されている。そして、対向電極１０８と画素電極１１８との間に液晶１０５が挟持され、これにより液晶素子１２０が構成されている。このため、画素毎に、画素電極１１８、対向電極１０８および液晶１０５からなる液晶素子１２０が設けられることになる。
【００１７】
このような構成の液晶素子１２０は、画素電極１１８および対向電極１０８の間で電圧を保持するとともに、透過型であれば、保持した電圧の実効値に応じた透過率となる。これは、液晶素子１２０において、画素電極１１８および対向電極１０８の間で電圧に怖じて、両電極の間に介在する液晶１０５の分子配向状態が変化するためである。
走査線１１２に選択電圧を印加させるとともに、選択した走査線１１２に対応する画素に対して、指定された階調値に応じた電圧のデータ信号をデータ線１１４に供給すると、選択走査線における画素１１０のＴＦＴ１１６はオン状態となり、当該データ信号が、オン状態のＴＦＴ１１６を介して画素電極１１８に印加されるので、液晶素子１２０に対し、階調値に応じた電圧を印加・保持させて、目的とする階調に応じた透過率とさせることができる。
なお、走査線に非選択電圧を印加して、ＴＦＴ１１６をオフ状態とさせても、ＴＦＴ１１６がオン状態のときに液晶素子１２０に書き込まれた電圧は、その容量性によりに保持される。
【００１８】
本実施形態では、便宜的に液晶素子１２０に保持される電圧実効値がゼロに近ければ、光の透過率が最大となって白色表示になる一方、電圧実効値が大きくなるにつれて透過する光量が減少するノーマリーホワイトモードであるとする。
また、液晶１０５に直流成分が印加するのを防止するため、データ信号変換回路４０は、画素の明るさを指定する映像信号Ｖdを、画素電極１１８に印加されることになるデータ信号Ｖsに、基準電圧Ｖc（対向電極１０８の電圧ＬＣcomとほぼ同じ電圧、または、低位の電圧）に対して高位側の正極性電圧と低位側の負極性電圧とに、所定期間（例えば後述するサブフレーム期間、または、フレーム期間）毎に交互に切り替えながら変換する。なお、この極性は、制御回路２０によって指定される。
【００１９】
ここで本実施形態における駆動方法の前に、比較のため、図２の構成によって従来の駆動方法を実行する場合について説明する。図１５は、従来の色順次駆動を示す図である。この図において、フレーム期間とは、表示パネル１００やＬＥＤ１１Ｒ、１１Ｇ、１１Ｂを駆動することによって、カラー画像の１コマ分を表示させるために要する期間をいい、垂直走査周波数が６０Ｈｚであれば、その逆数である１６．７ミリ秒である。
なお、同期信号Ｓyncで規定される垂直走査期間とフレーム期間とは、期間長でみれば同一あるが、同期信号Ｖsyncに同期して供給される映像信号Ｖidを、一旦、画像処理回路３０において記憶した後に読み出すとともに、この読み出しに合わせて、表示パネル１００等を駆動するので、タイミング的には、フレーム期間は、垂直走査期間よりも遅延した関係にある。
【００２０】
図１５に示されるように、フレーム期間は、Ｒ・Ｇ・Ｂの３つのサブフレーム期間に等分割される。まず、Ｒサブフレーム期間では、Ｒ走査期間において、表示パネル１００の画素１１０に対して、Ｒ成分の階調に応じたデータ信号を１行毎に書き込む。詳細には、Ｒ走査期間において、制御回路２０は、画像処理回路３０に対して、内部メモリに記憶された映像信号を書き込み速度に対して３倍速（すなわち、同期信号Ｖsyncで規定される走査速度よりも３倍の速度）で読み出すように制御し、データ信号変換回路４０に対して極性を指定するとともに、Ｙドライバ１３０に対して、読み出し行に応じて１、２、３、…、７６８行の走査線１１２に順番に選択電圧を印加するように制御して、走査信号Ｇ1、Ｇ2、Ｇ3、…、Ｇ768が図６に示されるように出力させる一方、Ｘドライバ１４０に対して、データ信号Ｖsを、列毎に１、２、３、…、１０２４列のデータ線１１４に順番にサンプリングするように制御する。この制御により、各画素１１０は、それぞれＲ成分の階調に応じた透過率となる。そして、このＲ成分の画像を視認させるために、制御回路２０は、Ｒサブフレーム期間のＲ走査期間が終了してからＲ待機期間を経て、ＬＥＤ１１ＲだけをＲ発光期間にわたって発光させる。
【００２１】
次に、Ｇサブフレーム期間では、制御回路２０は、Ｇ走査期間において、表示パネル１００の各画素１１０に対して、Ｇ成分の階調に応じたデータ信号が書き込まれるように制御し、Ｇ走査期間が終了してからＧ待機期間を経て、ＬＥＤ１１ＧだけをＧ発光期間にわたって発光させる。
そして、Ｂサブフレーム期間では、制御回路２０は、Ｂ走査期間において、表示パネル１００の各画素１１０に対して、Ｂ成分の階調に応じたデータ信号が書き込まれるように制御し、Ｂ走査期間が終了してからＢ待機期間を経て、ＬＥＤ１１ＢだけをＢ発光期間にわたって発光させる。
このため、Ｒ・Ｇ・Ｂの各原色画像が順次表示されると、人間には、これらの原色画像が重なってフルカラー画像として視覚されることになる。
なお、図１５において、Ｒ・Ｇ・Ｂ走査期間の右下がりの直線は、走査線の選択行が時間経過とともに上から下方向に進行していることを示している。走査線の選択期間は、実際には短い直線であるが、時間軸に比べて十分に短いので、これを連続的な斜め直線としている。
【００２２】
ここで、液晶素子１２０に対して階調に応じた電圧を書き込んでも、その応答速度が比較的遅いゆえに、直ちに、当該書き込んだ電圧に応じた透過率とはならない。このため、上述したように、Ｒ・Ｇ・Ｂ走査期間が終了してからＬＥＤの発光開始まで、一定の待機期間を置くことによって、書き込んだ電圧に応じた光学応答（透過率）となった状態でＬＥＤを発光させているのである。また、Ｒ発光期間、Ｇ発光期間、Ｂ発光期間は、各原色の強度をバランスさせるために、すなわち、ホワイトバランスが崩れるのを防止するために互いに同一期間に設定される。
【００２３】
ところで、液晶素子１２０の電気−光学応答特性は、液晶１０５を通過する光の波長に依存して異なる、ということが本願発明者によって知見された。詳細には、図４に示されるように、画素を最も暗い状態の相対透過率（または相対反射率）０％から最も明るい状態の相対透過率１００％に変化させる場合に、波長が長くなるにつれて、経過時間に対する実際の透過率の特性（光学応答特性）は悪くなる。
したがって、従来の色順次駆動においてＲ・Ｇ・Ｂ待機期間にわたって互いに同一としてしまうと、Ｒ・Ｇ、特にＲ成分については、表示パネル１００において、指定された階調に応じた透過率となる前に、Ｒ光が照射されてしまい、映像信号Ｖidで指定された明るさとは、異なる状態で視認されてしまう可能性がある。
なお、図４は、あくまでも一例であり、液晶の動作モードによっては、逆に波長が長くなるにつれて、応答特性が良くなる場合もある。
【００２４】
そこで、本実施形態では、図４に示されるように波長が長くなるにつれて光学応答性が悪化するのであれば、図５に示されるように、Ｒ待機期間＞Ｇ待機期間＞Ｂ待機期間となるように設定した。
ここで、Ｒ待機期間を長くすると、Ｒ発光期間の終了端が、次のＧサブフレーム期間にかかってしまうので、Ｇ走査期間の開始を遅らせる。Ｇ走査期間の開始期間を遅らせると、Ｇ発光期間の終了端が、次のＢサブフレーム期間にかかってしまうので、Ｂ走査期間の開始を遅らせる。ただし、波長の短いＢは、光学応答が良いので、Ｂ待機期間は短くて済む。このため、Ｂ発光期間の終了端が、次のフレームのＲサブフレーム期間にかかってしまうことはない。
制御回路２０は、Ｇ・Ｂ走査期間を時間的後方にシフトさせて、Ｒ待機期間＞Ｇ待機期間＞Ｂ待機期間としたスケジュールにしたがって表示パネル１００の駆動を制御するとともに、ＬＥＤ１１Ｒ、１１Ｇ、１１Ｂの発光を制御する。
【００２５】
第１実施形態によれば、波長に依存する光学応答特性を考慮し、Ｒ待機期間＞Ｇ待機期間＞Ｂ待機期間としたので、表示パネル１００において、特に波長の長いＲに対応したＲサブフレーム期間において、指定されたＲ成分の階調に応じた透過率となった状態でＲ光が照射される。このため、第１実施形態によれば、映像信号Ｖidで指定された明るさとは、異なる状態で視認されてしまうことを回避することが可能となる。
【００２６】
なお、第１実施形態では、Ｒ待機期間＞Ｇ待機期間＞Ｂ待機期間となるように設定したが、影響が大きいと思われるのは、波長が最も長いＲであるので、Ｒ待機期間＞Ｇ待機期間（＝Ｂ待機期間）となるように設定しても良い。
ここでは、図４に示されるように波長が長くなるにつれて光学応答性が悪化する場合を例示したが、逆に波長が長くなるにつれて応答特性が良くなる場合、換言すれば、波長が短くなるにつれて応答特性が悪くなる場合には、Ｒ待機期間＜Ｇ待機期間＜Ｂ待機期間、または、（Ｒ待機期間＝）Ｇ待機期間＜Ｂ待機期間とすれば良い。
【００２７】
＜第２実施形態＞
第１実施形態に係る色順次駆動では、波長に依存する光学応答性を考慮して、Ｒ・Ｇ・Ｂ待機期間を設定したので、映像信号Ｖidで指定された明るさとは、異なる状態で視認されてしまうことを回避することが可能となるものの、Ｒ・Ｇ・Ｂ発光期間を長くとれないので、画面全体を明るくするには難がある。
そこで、画面を明るくすることに力点をおいた第２実施形態について説明する。
【００２８】
図７は、第２実施形態に係る色順次駆動を示す図である。
第２実施形態では、Ｒ走査期間（Ｒ第１走査期間）における書込方法を変更するとともに、Ｒ第２走査期間を追加する。同様に、Ｇ走査期間（Ｇ第１走査期間）における書込方法を変更するとともに、Ｇ第２走査期間を追加する。ただし、Ｂ走査期間については、書込方法を変更したＢ第１走査期間だけとする。
一方、Ｒ待機期間の開始タイミングをＲ第１走査期間の終了タイミングとし、同様に、Ｇ待機期間の開始タイミングをＧ第１走査期間の終了タイミングとし、Ｂ待機期間の開始タイミングをＧ第１走査期間の終了タイミングとして早め、その分、Ｒ・Ｇ・Ｂ発光期間を第１実施形態と比較して長くとっている。
【００２９】
まず、Ｒ第１走査期間では、表示パネル１００に対して、Ｒ成分の階調に応じたデータ信号を２行ずつまとめて書き込む。詳細には、Ｒ第１走査期間において、制御回路２０は、画像処理回路３０に対して、内部メモリに記憶された映像信号のうち、奇数行だけを３倍速で読み出すように制御し、データ信号変換回路４０に対して極性を指定するとともに、Ｙドライバ１３０に対して、奇数（１、３、５、…、７６７）行と、この奇数行に対して１行下の偶数（２、４、６、…、７６８）行との２行に同時に選択電圧を印加する動作を、上から順番に行うように制御して、走査信号Ｇ1、Ｇ2、Ｇ3、…、Ｇ768が図８に示されるように出力させる一方、Ｘドライバ１４０に対して、データ信号Ｖsを、列毎に１、２、３、…、１０２４列のデータ線１１４に順番にサンプリングするように制御する。
【００３０】
この制御によりＲ第１走査期間では、表示パネル１００の同列でみたときに、奇数行と当該奇数行に下方に隣接する偶数行との２画素に対して、奇数行の方の画素の階調に応じたデータ信号が同時に書き込まれる。
したがって、Ｒ第１走査期間が終了した時点において、各画素１１０には、縦方向の解像度が半分に低下した状態ではあるが、Ｒ成分の階調に応じた電圧が書き込まれたことになるので、Ｒ第１走査期間が終了したタイミングを、Ｒ待機期間の開始としている。
なお、Ｒ第１走査期間では、２行の走査線を同時に選択しているので、Ｒ第１走査期間に要する時間は、第１実施形態のＲ走査期間と比較すると半分になる。
【００３１】
次に、Ｒ第２走査期間では、表示パネル１００の各画素１１０のうち、偶数行だけに、Ｒ成分の階調に応じたデータ信号を書き込む。詳細には、Ｒ第２走査期間において、制御回路２０は、画像処理回路３０に対して、内部メモリに記憶された映像信号のうち、偶数行だけを３倍速で読み出すように制御し、データ信号変換回路４０に対して極性を指定するとともに、Ｙドライバ１３０に対して、偶数行の２、４、６、…、７６８行の走査線１１２だけを順番に選択電圧を印加するように制御して、走査信号Ｇ1、Ｇ2、Ｇ3、…、Ｇ768が図９に示されるように出力させる一方、Ｘドライバ１４０に対して、データ信号Ｖsを、列毎に１、２、３、…、１０２４列のデータ線１１４に順番にサンプリングするように制御する。
【００３２】
この制御によりＲ第２走査期間では、表示パネル１００では、偶数行の画素だけに当該偶数行の画素の階調に応じたデータ信号が書き込まれる。Ｒ第２走査期間では奇数行の画素に電圧が書き込まれないが、すでにＲ第１走査期間で書き込みがなされているので、奇数行の画素は、Ｒ第２走査期間では、Ｒ第１走査期間で書き込まれた電圧を保持するのみとなる。
したがって、第２Ｒ走査期間が終了すると、各画素１１０には、当該フレームで表示すべき画像のＲ成分の階調に応じた電圧が書き込まれたことになる。
一方、制御回路２０は、Ｒサブフレーム期間のＲ第１走査期間が終了してからＲ待機期間を経て、ＬＥＤ１１ＲだけをＲ発光期間にわたって発光させる。
【００３３】
第２実施形態では、Ｒ待機期間の開始をＲ第１走査期間の終了時としているので、Ｒ第２走査期間で書き込まれる偶数行の画素については、書き込まれた電圧に応じた透過率となる前にＲ光の照射が開始されることになるが、奇数行の画素についてはＲ第１走査期間で書き込まれた電圧に応じた透過率となっているし、偶数行の画素についても、Ｒ光の照射が終了するまでには、書き込まれた電圧に応じた透過率となっている。
このため、Ｒ成分で視認される画像の解像度感が若干低下するものの、映像信号Ｖidで指定された明るさとは、異なる状態で視認されてしまうことは回避される。
【００３４】
次に、制御回路２０は、Ｇサブフレーム期間において、表示パネル１００に対して、Ｒサブフレーム期間と同様な制御を行う。すなわち、制御回路２０は、Ｇ第１走査期間では、奇数行と当該奇数行に対して下方に隣接する偶数行との２画素に対して、当該奇数行の方のＧ成分の階調に応じたデータ信号が書き込まれるように制御し、Ｇ第２走査期間では、Ｒ第２走査期間と同様に、偶数行の画素だけに対して当該偶数行のＧ成分の階調に応じたデータ信号が書き込まれるように制御する。
一方、制御回路２０は、Ｇ第１走査期間が終了してからＧ待機期間を経たときに、ＬＥＤ１１ＧだけをＧ発光期間にわたって発光させる。
【００３５】
このとき、Ｇ発光期間は、Ｇ第２走査期間の途中で開始することもあり得るが、奇数行の画素についてはＧ第１走査期間で書き込まれた電圧に応じた透過率となっているし、偶数行の画素についても、Ｇ光の照射が終了するまでには、書き込まれた電圧に応じた透過率となっているので、Ｇ成分の画像は、解像度感が低下するものの、映像信号Ｖidで指定された明るさとは、異なる状態で視認されてしまうことは回避される。
【００３６】
次に、制御回路２０は、表示パネル１００に対し、Ｂサブフレーム期間のＢ第１走査期間において、Ｒ・Ｇ第１走査期間と同様に制御を行う。すなわち、制御回路２０は、Ｂ第１走査期間では、奇数行と当該奇数行に対して下方に隣接する偶数行との２画素に対して、当該奇数行の方のＢ成分の階調に応じたデータ信号が書き込まれるように制御する。
ただし、第２実施形態では、Ｂ第２走査期間は行われない。このため、Ｂサブフレームでは、Ｂ第１走査期間が終了した時点において、各画素１１０には、縦方向の解像度が半分に低下した画像の、Ｂ成分の階調に応じた電圧が書き込まれたことになる。
そして、このＢ成分の画像を視認させるために、制御回路２０は、Ｂ第１走査期間が終了してからＢ待機期間を経て、ＬＥＤ１１ＢだけをＢ発光期間にわたって発光させる。
なお、第２実施形態では、解像度がＢ成分だけ半分になるが、元来、人間にとってＢ成分の解像度分解能は、Ｒ・Ｇ成分と比較して低いため、見かけ上の解像度感はそれほど悪化させないで済む。
【００３７】
第２実施形態では、Ｒ・Ｇ・Ｂ待機期間の開始タイミングを、第１実施形態におけるＲ・Ｇ・Ｂ走査期間を半分に短縮したＲ・Ｇ・Ｂ第１走査期間の終了タイミングとしているので、その分だけ、Ｒ・Ｇ・Ｂ発光期間を長くとれる。このため、第１実施形態と比較すると、解像度感が低下するものの、明るい画面の表示が可能となる。
また、Ｒ・Ｇ・Ｂの解像度感の低下も少ないことから、色再現性の改善も若干ながら期待できる。
【００３８】
なお、第２実施形態では、Ｒ・Ｇ第１走査期間において、奇数行と偶数行とを同時に選択したときに奇数行の方の画素の階調に応じた電圧を上下に隣接する２画素に対して書き込み、Ｒ・Ｇ第２走査期間において、偶数行のみを選択して、偶数行の画素に対して階調に応じた電圧を書き込んだが、この関係が固定化されるのを避けるため、次のフレーム期間では、Ｒ・Ｇ第１走査期間において、奇数行と偶数行とを同時に選択したときに偶数行の方の画素の階調に応じた電圧を上下に隣接する２画素に対して書き込み、Ｒ・Ｇ第２走査期間において、奇数行のみを選択して、奇数行の画素に対して階調に応じた電圧を書き込む、というように交互に切り替えても良い。
同様に、Ｂ第１走査期間において、奇数行と偶数行とを同時に選択したときに奇数行の方の画素の階調に応じた電圧を上下に隣接する２画素に対して同じ電圧を書き込むのであれば、次のフレーム期間のＢ第１走査期間において、奇数行と偶数行とを同時に選択したときに偶数行の方の画素の階調に応じた電圧を上下に隣接する２画素に対して書き込んでも良い。
【００３９】
また、書き込まれた電圧に応じた透過率となるまでの時間を稼ぐために、Ｂのほか、Ｒの第２走査期間を廃して、Ｒ・Ｇ・Ｂサブフレーム期間を設定し直しても良い。
さらに、Ｂサブフレーム期間では、Ｂ第２走査期間を置かなかったので、視認性が劣るとはいっても、Ｒ・Ｇ成分と比較すると、解像度感の低下は避けられない。そこで、この解像度感の低下を避けるために、第２走査期間を置かない色を、フレーム期間毎に、例えばＢ→Ｒ→Ｇ→（Ｂ）のような順番で切り替えるとしても良い。
【００４０】
＜第３実施形態＞
第２実施形態に係る色順次駆動では、画面の明るさを確保する点では有効であるものの、視認性の最も高いＧ成分では、Ｇ第２垂直走査の途中で、Ｇ発光期間が開始してしまうことから、解像度感の点で改善の余地がある。
そこで、解像度感の改善に力点をおいた第３実施形態について説明する。
【００４１】
図１０は、第３実施形態に係る色順次駆動を示す図である。
第３実施形態では、第２実施形態におけるＲ第２走査期間を廃するとともに、Ｇサブフレーム期間では、第１実施形態と同様に解像度を低下させないＧ走査期間とする。
第３実施形態では、また、Ｇ走査期間の終了タイミングをＧ待機期間の開始とするので、Ｇ発光期間を第１実施形態よりも長く確保するために、Ｒ発光期間の終了タイミングを時間的前方に若干シフトさせて、Ｇ走査期間の開始を早めている。なお、その分、Ｂ第１走査期間の開始が時間的後方にシフトするが、Ｂ待機期間は短くて済むので、その影響はほとんどない。
【００４２】
このように、第３実施形態では、Ｒ・Ｇ・Ｂ待機期間を確保するために、Ｒ第２走査期間およびＢ第２走査期間を置かないので、Ｒ・Ｂ成分の解像度感は低下するが、最も視認性の高いＧ成分の解像度は低下しないので、第２実施形態よりも解像度感を向上させることができる。ただし、第３実施形態では、そもそも第２走査期間を置かない第１実施形態と比較したとき、解像度感が低下することにはなる。
【００４３】
＜第４実施形態＞
第２及び第３実施形態に係る色順次駆動では、画面の明るさを確保することができるものの、第１実施形態と比較すると、解像度感の低下は免れない。
そこで、第１実施形態よりも明るい画面を確保しつつ、同等の解像度感を得るための第４実施形態について説明する。
【００４４】
第４実施形態では、図１１に示されるように、フレーム期間を、Ｒ・Ｇ・Ｂサブフレーム期間に加えて、Ｗサブフレーム期間に分割する。
このうち、Ｒ・Ｇ・Ｂサブフレーム期間については、Ｒ・Ｇ・Ｂ第１走査期間は同一であり、Ｒ・Ｇ・Ｂ発光期間も同一としなければならないので、Ｒ待機期間＞Ｇ待機期間＞Ｂ待機期間という条件を満たすために、Ｒサブフレーム期間＞Ｇサブフレーム期間＞Ｂサブフレーム期間としている。
【００４５】
Ｒ・Ｇ・Ｂサブフレーム期間では、第２実施形態におけるＲ・Ｇ・Ｂ第１走査期間と同様に、表示パネル１００によって縦方向の解像度を半減させた画像形成と、ＬＥＤ１１Ｒ、１１Ｇ、１１Ｂの発光とが順次実行される。
【００４６】
Ｗサブフレーム期間では、Ｗ走査期間とＷ待機期間とＷ発光期間とが設けられている。
このうち、Ｗ発光期間は、本実施形態では、Ｗ発光期間＞Ｒ発光期間（＝Ｇ発光期間＝Ｂ発光期間）に設定されている。
【００４７】
Ｗ走査期間において、制御回路２０は、画像処理回路３０に対して、内部メモリに記憶された映像信号、すなわち、画素毎にＲＧＢの明るさを指定する映像信号を読み出すように制御するとともに、画素毎の輝度成分を示す輝度信号に変換するように制御する。
なお、制御回路２０は、データ信号変換回路４０に対して極性を指定するとともに、Ｙドライバ１３０に対して、読み出し行に応じて１、２、３、…、７６８行の走査線１１２に順番に選択電圧を印加するように制御して、走査信号Ｇ1、Ｇ2、Ｇ3、…、Ｇ768が図６に示されるように出力させる一方、Ｘドライバ１４０に対して、データ信号Ｖsを、列毎に１、２、３、…、１０２４列のデータ線１１４に順番にサンプリングするように制御する点は、第１実施形態におけるＲ・Ｇ・Ｂ走査期間と同様である。
【００４８】
これにより、各画素１１０は、それぞれ輝度成分の階調に応じた透過率となる。この輝度成分の画像を視認させるために、制御回路２０は、Ｗ待機期間を置いて、ＬＥＤ１１Ｒ、１１Ｇ、１１ＢをすべてＷ発光期間にわたって発光させる。
なお、Ｗ発光期間では、ＬＥＤ１１Ｒ、１１Ｇ、１１Ｂをすべて発光させても良いし、別途白色ＬＥＤを設けて、この白色ＬＥＤを単独で、または、ＬＥＤ１１Ｒ、１１Ｇ、１１Ｂとともに、発光させても良い。
【００４９】
このように、第４実施形態では、Ｒ・Ｇ・Ｂサブフレーム期間では、各原色成分で視認される画像の解像度は半減するが、Ｗサブフレーム期間では、輝度成分で視認される画像の解像度は変更なしで、しかもＷ発光期間を長くしてある。
このため、第４実施形態では、第１実施形態と比較して、さらには第２および第３実施形態と比較しても、画面の明るさを確保することができるとともに、第１実施形態と同様な解像度感を得ることが可能となる。
【００５０】
＜まとめ＞
上述した第１乃至第４実施形態に係る色順次駆動同士について、表示される画像の評価項目として、画面の明るさ、色再現性、解像度感をそれぞれ比較した結果を図１２に示す。なお、この図では、第１乃至第４実施形態のうち、最も優れているものを基準において「○」とし、以下劣る順番に「△」、「×」という印を付している。
この図に示されるように、また上述したように、第１実施形態では、画面の明るさについては他よりも劣るものの、解像度を半減させないので、解像度感に優れる。第２実施形態では、第１実施形態と比較すると、解像度感で若干劣るが、発光期間を長くとれることから、画面の明るさや色再現性で有利となる。第３実施形態では、第２実施形態と比較すると、画面の明るさで同程度であり、解像度感で若干有利であるが、色再現性で若干不利である。第４実施形態では、画面の明るさで有利であり、解像度感も第２実施形態と同程度であるが、Ｗ発光期間を含むので、色再現性が第２実施形態と比較して不利となる。
【００５１】
このように、第１乃至第４実施形態に係る色順次駆動のうち、どれがベストであるかについては、どの評価項目を重視するかによって異なる。換言すれば、表示すべき画像によって、第１乃至第４実施形態に係る色順次駆動のうち、いずれかを選択する構成を採用すれば、映像信号Ｖidで規定される画像、または、ユーザの嗜好に応じて適切に表示することが可能となる。
【００５２】
例えば、図１３に示されるように、映像信号Ｖidを入力して、表示すべき画像の質を解析する画像解析回路５０を設けて、制御回路２０が、解析結果に応じて第１乃至第４実施形態のいずれかの色順次駆動を適用しても良い。例えば、映像信号Ｖidの解析によって、その画像がＰＣなどのＯＡ用途であれば、解像度重視する必要から第１実施形態を採用し、動画等であれば、解像度感よりも、むしろ色再現性が重要視されるので、第２または第３実施形態を採用し、ヒストグラム解析によって明るい画素の集中度が高ければ、画面の明るさを確保する必要から、第４実施形態を採用すれば良い。
このように画像解析回路５０を設けると、映像信号Ｖidで規定される画像に応じて適切な色順次駆動方式を自動的に採用することが可能となる。
【００５３】
また、図１４に示されるように、ボタンスイッチやセレクタなどの選択操作子６０を設けて、この選択結果に応じて、制御回路２０が、第１乃至第４実施形態のいずれかの色順次駆動を適用しても良い。このような選択操作子６０を設けると、ユーザの嗜好を反映させた色順次方式を採用することが可能となる。
【００５４】
なお、上述した第１乃至第３実施形態では、用いる原色をＲ・Ｇ・Ｂの３色として、フレーム期間をこれらの色に対応して３つのサブフレーム期間に分けたが、原色を４つ以上とし、フレーム期間をこれら用いる原色に対応して４つ以上のサブフレーム期間に分けても良い。例えばＲ・Ｇ・Ｂのうち、Ｇを、短波長寄りのＹＧ（黄緑）と、長波長寄りのＥＧ（エメラルドグリーン）に分けて、これらの４色として、フレーム期間をこれらの色に対応して４つのサブフレーム期間に分けても良い。
また、原色を４つ以上とする場合、ダイクロイックプリズムが２以上必要となる。上述したＲ、ＹＧ、ＥＧ、Ｂを用いる場合であれば、図１においてダイクロイックプリズム１３の９時方向に、別のダイクロックプリズムを配置させて、このうち、２面でＹＧ、ＥＧ光を入射して、ダイクロイックプリズム１３に導く構成とすれば良い。
さらに、表示パネル１００の透過像を拡大投射する投射型ではなくて、バックライトの光源を原色毎に切り替える直視型にも適用可能である。また、画素１１０については透過型に限られず、反射型であっても良い。
【図面の簡単な説明】
【００５５】
【図１】第１実施形態に係る駆動方法が適用されるプロジェクタの構成を示す図である。
【図２】同プロジェクタの電気的な構成を示すブロック図である。
【図３】同プロジェクタの表示パネルにおける画素の構成を示す図である。
【図４】同画素における液晶素子の光学応答特性を示す図である。
【図５】同駆動方法を示す図である。
【図６】同駆動方法における第１走査を示す図である。
【図７】第２実施形態に係る駆動方法を示す図である。
【図８】同電気光学装置における第１走査を示す図である。
【図９】同電気光学装置における第２走査を示す図である。
【図１０】第３実施形態に係る駆動方法を示す図である。
【図１１】第４実施形態に係る駆動方法を示す図である。
【図１２】各実施形態の比較を示す図である。
【図１３】本発明の応用・変形例を適用したプロジェクタの構成を示す図である。
【図１４】本発明の応用・変形例を適用したプロジェクタの構成を示す図である。
【図１５】比較例に係る駆動方法を示す図である。
【符号の説明】
【００５６】
１０…プロジェクタ、１１Ｒ、１１Ｇ、１１Ｂ…ＬＥＤ、２０…制御回路、３０…画像処理回路、５０…画像解析回路、６０…選択操作子、１００…表示パネル、１０５…液晶、１２０…液晶素子、１３０…Ｙドライバ、１４０…Ｘドライバ
【図１】
2010107579.tif 000003
【図２】
2010107579.tif 000004
【図３】
2010107579.tif 000005
【図４】
2010107579.tif 000006
【図５】
2010107579.tif 000007
【図６】
2010107579.tif 000008
【図７】
2010107579.tif 000009
【図８】
2010107579.tif 000010
【図９】
2010107579.tif 000011
【図１０】
2010107579.tif 000012
【図１１】
2010107579.tif 000013
【図１２】
2010107579.tif 000014
【図１３】
2010107579.tif 000015
【図１４】
2010107579.tif 000016
【図１５】
2010107579.tif 000017